(57)【要約】【課題】  携帯端末においてスピーカやマイクの音響特性の劣化を防止する。【解決手段】  折り畳み式携帯端末において、展開した状態で第二筐体２を机上等の載置面１０に置いた時、第一筐体１のヒンジ部と連なる円筒面１３の一部に突出部５を設け、この突出部が載置面と接触して、第二筐体の底面のスピーカ（マイク）音孔と載置面との間に空間を確保できるようにする。突出部５は、折り畳み時には本体厚み寸法に対して突出せず、展開時には音孔と載置面との間の空間を確保できる形状であり、展開時にかつ載置面に置いた時にこの載置面と接触する突出部を円筒面とし、その軸中心をヒンジ部の軸中心と一致させることで、展開時の角度が変化しても、音孔と載置面との空間を一定に保つことができる形状とする。これにより、音響特性が維持可能となる。【選択図】      図１
2006295260.tif 000002
【特許請求の範囲】
【請求項１】
主表示部を有する第一筐体と操作部を有する第二筐体とがヒンジ部により回動自在に連結され、前記第二筐体の前記操作部とは反対の面に、スピーカまたはマイクのための音孔が穿設されてなる携帯端末であって、
前記第一筐体の前記ヒンジ部との連結円筒面に設けられた突出部を含み、
前記第一筐体が前記第二筐体に対して展開されて前記第二筐体の前記音孔の穿設面が、載置面上に載置されたときに、前記突出部は前記載置面に接触して前記穿設面と前記載置面との間に所定空間を形成するようにしたことを特徴とする携帯端末。
【請求項２】
前記突出部は、前記円筒面と同軸の肉厚構造であることを特徴とする請求項１記載の携帯端末。
【請求項３】
前記突出部は、前記第一筐体が前記第二筐体に対して折り畳み時に、筐体の厚み方向に突出しない構成であることを特徴とする請求項１または２記載の携帯端末。
【請求項４】
前記突出部は、弾性材料からなることを特徴とする請求項１〜３いずれか記載の携帯端末。
【請求項５】
前記突出部は、防滑材料からなることを特徴とする請求項１〜３いずれか記載の携帯端末。
【請求項６】
携帯電話機であることを特徴とする請求項１〜５いずれか記載の携帯端末。
【発明の詳細な説明】
【技術分野】
【０００１】
本発明は携帯端末に関し、特に折り畳み式の携帯端末に関するものである。
【背景技術】
【０００２】
最近の携帯電話機では、多機能化が進み、テレビ電話の機能が付加されたものも増加している。例えば、折り畳み式の携帯電話機において、主表示部を有する展開側の筐体面に、カメラが実装されている。これをテレビ電話として使用する場合には、この展開側筐体を、操作部を有する設置側の筐体に対して展開した状態で、設置側の筐体を机などの載置面上に載置し、カメラをユーザ方向に向けて使用することになる。
【０００３】
一方、多機能化によりスピーカの実装位置も限られてきており、折り畳み式の携帯電話機では、このスピーカを設置側筐体の設置面側に実装し、この設置面上に音孔を設ける構造のものがある。このような構造の携帯電話機を、上述したテレビ電話として使用する場合、スピーカの音が周囲に広がるように、スピーカ音孔と机上などの載置面との間に、所定の空間を確保することが必要となる。そのために、音孔の周囲に突起を設けて、当該空間を作り出すようになっている。
【０００４】
なお、特許文献１を参照すると、折り畳み式の携帯電話機のヒンジ部分に突起を設け、携帯電話機が展開された状態でかつ操作面及び主表示面が机上などの載置面に対向した状態において、当該突起が載置面に接して、ストッパの役割を果してヒンジなどの損傷を防止する機能が開示されている。
【特許文献１】特開２００２−１３５３８５号公報
【発明の開示】
【発明が解決しようとする課題】
【０００５】
上述したスピーカ音孔の周囲に突起を設ける構造では、筐体の厚み方向に突起が突出することになるので、手に持ったときに、この突起が手に当って手持ち感が悪くなり、また携帯時に邪魔になるという問題がある。スピーカ音孔と机上などの載置面との間に空間を確保する構造の他の例として、設置側筐体のスピーカ音孔の周囲に凹部を設ける方法も考えられるが、この場合には、凹部を確保するために、設置側筐体自体の厚さが大とならざるを得ないという問題がある。
【０００６】
特許文献１の構造では、操作面及び主表示面が机上などの載置面に対向した状態で、上から何らかの力が加わったときに、ヒンジ部分の損傷を防止するために、ヒンジ部分に突起を設ける構造であって、スピーカ音を周囲に広げるためのものではない。
【０００７】
本発明の目的は、折り畳み状態において、厚み方向に突起などの突出をなくし、展開状態において机上などの載置面上に置いた状態では、設置側筐体の設置面と載置面との間に所定空間を確保することが可能な携帯端末を提供することである。
【課題を解決するための手段】
【０００８】
本発明による携帯端末は、主表示部を有する第一筐体と操作部を有する第二筐体とがヒンジ部により回動自在に連結され、前記第二筐体の前記操作部とは反対の面に、スピーカまたはマイクのための音孔が穿設されてなる携帯端末であって、前記第一筐体の前記ヒンジ部との連結円筒面に設けられた突出部を含み、前記第一筐体が前記第二筐体に対して展開されて前記第二筐体の前記音孔の穿設面が、載置面上に載置されたときに、前記突出部は前記載置面に接触して前記穿設面と前記載置面との間に所定空間を形成するようにしたことを特徴とする。
【０００９】
そして、前記突出部は、前記円筒面と同軸の肉厚構造であることを特徴とし、また、前記第一筐体が前記第二筐体に対して折り畳み時に、筐体の厚み方向に突出しない構成であることを特徴とする。そして、前記突出部は、弾性材料からなることを特徴とする。
【００１０】
本発明の作用を述べる。主表示部を有する第一筐体と操作部を有する第二筐体とがヒンジ部により回動自在とされた折り畳み式携帯端末において、展開した状態で、第二筐体を机上等の載置面に置いたときに、第一筐体のヒンジ部と連なる円筒面の一部に突出部を設け、この突出部が載置面と接触して、第二筐体の操作部とは反対面のスピーカ（マイク）音孔と載置面との間に空間を確保できるようにする。
【００１１】
ここで、突出部は、折り畳み時には本体厚み寸法に対して突出せず、展開時には音孔と載置面との間の空間を確保できる形状となっており、また、展開時には載置面に置いた時にこの載置面と接触する突出部を円筒面とし、その軸中心をヒンジ部の軸中心と一致させることで、展開時の角度が変化しても、音孔と載置面との空間を一定に保つことができる形状とする。これにより、音響特性が維持可能となる。
【発明の効果】
【００１２】
本発明によれば、展開状態において、展開側筐体のヒンジと連結した円筒面上の、机上などの載置面と接触する部分に突出部分を設けるようにしたので、スピーカ音孔と載置面との間に所望の空間を確保することができ、折り畳み状態では厚み方向に突起などの突出をなくすことが可能となって、スピーカの音響特性を十分に確保できるという効果がある。また、展開角度が多少変化しても、この変化角度に亘って当該突出部分が載置面と接触可能なように、当該円筒面上の一定範囲を肉厚に構成して上記突出部分とすることにより、展開角度の変化に対しても、空間の確保が一定に維持可能となるという効果がある。
【発明を実施するための最良の形態】
【００１３】
以下に、図面を参照しつつ本発明の実施の形態について詳細に説明する。図１は本発明の一実施の形態の展開時の正面方向からの斜視図であり、図２は図１の背面方向からの斜視図であり、図３は折り畳み状態の背面斜視図である。これら図１〜図３において、同等部分は同一符号により示している。
【００１４】
本実施の形態における携帯電話機は折り畳み式のものであり、操作部２１を有し机上などの載置面上に置かれる側の筐体（設置側筐体）２と、主表示部１１を有する展開側筐体１と、これら２つの筐体１及び２を回動自在に軸支するヒンジ部３とを有している。設置側筐体２の内部には、スピーカ４が内蔵され、筐体２の底面（机上などの載置面に置かれる面であって、操作部２１のある面とは反対の面であり、図５，６参照）２２には、スピーカ４の音孔６が穿設されている。
【００１５】
展開側筐体１はヒンジ部３に対して回動自在に連結された円筒面１３を有しており、この円筒面１３上において、展開側筐体１の背面１２に対しては突出せず、展開して載置面に置かれたときには、この載置面と接触する突出部５が設けられている（図５，６参照）。円筒面１３はヒンジ部３の中心軸３１を中心とするものであり、また突出部５もこの中心軸３１を中心としており、円筒面１３上に一定の範囲に亘り肉厚とされた構造（円筒面と同軸の肉厚構造）となっている。そして、この突出部５は左右２箇所設けられており、左右のヒンジ部に対して同一位置、同一形状に構成されているものとする。
【００１６】
かかる構成において、携帯電話機を折り畳んだ状態では、図４にその側面図を示す如く、突出部５は、本体の厚み寸法ｔに対して突出しないようになっている。そして、図５に示す如く、展開側筐体１を設置側筐体２に対して全開して展開した状態では、突出部５が設置側筐体２の底面２２に対して突出した状態となり、よって、載置面１０に設置側筐体２を載置した場合には、スピーカ４の音孔６と載置面１０との間に、一定の空間ａの確保が可能となる。
【００１７】
また、図６に示すように、展開側筐体１の展開状態を、全開ではなくて、任意の角度で止めた場合にも、突起部５である肉厚部が一定範囲に亘って円筒面１３に形成されているので、図５の全開の場合と同量の空間ａが確保可能となっている。
【００１８】
次に、本発明の第２の実施の形態について説明する。この第２の実施の形態においては、基本的な構造や動作については先の第１の実施の形態と同じであるが、図７に折り畳み時の背面斜視図に示すように、突出部５をエラストマーやゴムなどの弾性材料を用いて形成し、展開側筐体１の円筒面１３上に、接着、溶着、圧入などの方法を用いて結合する構造となっている。
【００１９】
このように、突出部５を弾性材料で形成することにより、落下時などにヒンジ部３にかかる衝撃力を緩和することができることになる。また、図８に示す如く、展開状態で携帯電話機を机上などの載置面１０上に置いた場合に、突出部５をゴムなどの摩擦係数が大なる部材（滑りを防ぐいわゆる防滑材）とすることにより、滑りにくくなるという効果を得ることができる。
【００２０】
本発明の第３の実施の形態について説明する。この第３の実施の形態においては、基本的な構造や動作については、先の第１及び第２の実施の形態と同じであるが、スピーカの代りにマイクを実装する点で相違している。最近の携帯電話機では、ビデオカメラ機能が実装されていて、筐体の底面に録音用マイクが実装される場合がある。この場合、携帯電話機を机上において使用する際に、集音のためにマイクの周囲に空間を設ける必要があるが、この場合に本例は有効となる。
【００２１】
以上述べた実施の形態では、携帯電話機について説明しているが、これに限らず、一般に携帯通信端末、例えば、ＰＨＳや通信機能を有するＰＤＡなどの携帯端末に広く適用できることは明らかである。
【図面の簡単な説明】
【００２２】
【図１】本発明の一実施の形態による携帯電話機の展開時における正面方向からの斜視図である。
【図２】図１の背面方向からの斜視図である。
【図３】本発明の一実施の形態による携帯電話機の折り畳み時の背面斜視図である。
【図４】図３の側面図である。
【図５】本発明の一実施の形態による携帯電話機の全開時における載置面上での載置状態を示す図である。
【図６】本発明の一実施の形態による携帯電話機のある展開角における載置面上での載置状態を示す図である。
【図７】本発明の第２の実施の形態の携帯電話機の折り畳み時における背面斜視図である。
【図８】図７の携帯電話機を展開して載置面上に載置した状態を示す図である。
【符号の説明】
【００２３】
１  展開側筐体（第一筐体）
２  設置側筐体（第二筐体）
３  ヒンジ部
４  スピーカ
５  突出部
６  音孔
１０  載置面
１１  主表示部
１２  背面
１３  円筒面
２１  操作部
２２  底面
【図１】
2006295260.tif 000003
【図２】
2006295260.tif 000004
【図３】
2006295260.tif 000005
【図４】
2006295260.tif 000006
【図５】
2006295260.tif 000007
【図６】
2006295260.tif 000008
【図７】
2006295260.tif 000009
【図８】
2006295260.tif 000010